(57)【要約】【課題】画像形成装置に装着されている交換品を確実に識別するための技術を提供する。【解決手段】プリンタ１に装着される交換品２１は、非接触型ＩＣタグ３１と、この非接触型ＩＣタグ３１を保持し、かつ、プリンタ１により駆動されることで回転軸を中心に回転する保持部材２２と、保持部材２２が回転することで非接触型ＩＣタグ３１をプリンタ１により検出可能な露出状態と、検出が不可能な遮蔽状態とに状態変化可能に構成された遮蔽部材２３とを備える。プリンタ１は、自プリンタ１に装着された交換品２１の保持部材２２を回転させた状態で非接触型ＩＣタグ３１の検出を行う。その状態で非接触型ＩＣタグ３１を周期的に検出した場合、その検出した非接触型ＩＣタグ３１を持つ交換品２１を自プリンタ１に装着されたものであると特定する。【選択図】図２
2010170049.tif 000002
【特許請求の範囲】
【請求項１】
交換品を着脱可能な画像形成装置であって、
前記交換品は、
当該交換品に関するデータを記憶し、その記憶しているデータを無線通信により送信する非接触型ＩＣタグと、
前記非接触型ＩＣタグを保持する保持部材と、
前記保持部材との位置関係が相対的に変化することで、前記保持部材に保持されている非接触型ＩＣタグを前記画像形成手段が備える検出手段により検出可能な状態に露出させる露出状態と、前記検出手段による検出が不可能な状態に遮蔽する遮蔽状態とに状態変化可能に構成された遮蔽部材とを備え、
前記画像形成装置は、
前記交換品が備える非接触型ＩＣタグから発信される無線信号を受信することによってその非接触型ＩＣタグを検出する検出手段と、
自画像形成装置に装着された前記交換品が備える前記保持部材又は前記遮蔽部材の少なくとも何れかに対して、前記露出状態と前記遮蔽状態とを交互に状態変化させるように駆動する駆動手段と、
前記駆動手段を作動させた状態で、前記検出手段によって前記非接触型ＩＣタグを断続的に検出した場合、その検出した非接触型ＩＣタグを自画像形成装置に装着された交換品が備えるものであると特定する制御手段とを備えること
を特徴とする画像形成装置。
【請求項２】
請求項１に記載の画像形成装置において、
前記交換品では、
前記保持部材は、回転軸を中心にして回転可能に構成された回転部材であり、その回転軸の位置よりも円周面側で前記非接触型ＩＣタグを保持しており、
前記遮蔽部材は、前記保持部材の回転に伴って回転する前記非接触型ＩＣタグが前記露出状態と前記遮蔽状態とに交互に状態変化するように構成された固定された部材であり、
前記画像形成装置では、
前記駆動手段は、自画像形成装置に装着された前記交換品が備える前記保持部材を回転させることで、前記露出状態と前記遮蔽状態とを交互に状態変化させるように構成されていること
を特徴とする画像形成装置。
【請求項３】
請求項１に記載の画像形成装置において、
前記交換品では、
前記保持部材は、固定された部材であり、
前記遮蔽部材は、前記保持部材に対して回転可能な回転部材であり、前記保持部材に対して回転することで、前記保持部材に保持されている非接触型ＩＣタグが前記露出状態と前記遮蔽状態とに交互に状態変化するように構成されており、
前記画像形成装置では、
前記駆動手段は、前記自画像形成装置に装着された前記交換品が備える前記遮蔽部材を回転させることで、前記露出状態と前記遮蔽状態とを交互に状態変化させるように構成されていること
を特徴とする画像形成装置。
【請求項４】
請求項１ないし請求項３の何れか１項に記載の画像形成装置において、
前記制御手段は、前記駆動手段を作動させていない状態で前記検出手段によって前記非接触型ＩＣタグを断続的に検出した場合、その検出した非接触型ＩＣタグを備える前記交換品は自画像形成装置に装着されていないものであると特定すること
を特徴とする画像形成装置。
【請求項５】
請求項１ないし請求項４に記載の画像形成装置において、
前記制御手段は、さらに、前記駆動手段を作動させていない状態で断続的に検出した前記非接触型ＩＣタグを除外対象として記憶し、その記憶された除外対象の非接触型ＩＣタグについては前記検出手段による検出結果から除外すること
を特徴とする画像形成装置。
【請求項６】
請求項１ないし請求項５の何れか１項に記載の画像形成装置において、
前記制御手段は、前記駆動手段を作動させていない状態で前記検出手段によって断続的な前記非接触型ＩＣタグの検出がなされていない場合、前記駆動手段を作動させて、前記検出手段により前記非接触型ＩＣタグの検出を行うこと
を特徴とする画像形成装置。
【請求項７】
請求項１ないし請求項６の何れか１項に記載の画像形成装置において、
前記制御手段は、前記駆動手段が備えるモータをオン／オフするための信号を出力することで前記駆動手段の作動を制御し、そのオン信号の出力期間中に前記検出手段によって前記非接触型ＩＣタグを断続的に検出した場合、その検出した非接触型ＩＣタグを自画像形成装置に装着された交換品が備えるものであると特定すること
を特徴とする画像形成装置。
【請求項８】
請求項１ないし請求項７の何れか１項に記載の画像形成装置において、
前記制御手段は、前記駆動手段を作動させた状態で、前記検出手段によって複数の前記非接触型ＩＣタグをそれぞれ断続的に検出した場合、前記駆動手段の作動を停止して前記検出手段により前記非接触型ＩＣタグの検出を行い、前記駆動手段を作動させていない状態で前記検出手段によって前記非接触型ＩＣタグを断続的に検出した場合、その検出した非接触型ＩＣタグを備える前記交換品は自画像形成装置に装着されていないものであると特定すること
を特徴とする画像形成装置。
【請求項９】
請求項８に記載の画像形成装置において、
前記制御手段は、前記駆動手段を作動させた状態で、前記検出手段によって複数の前記非接触型ＩＣタグをそれぞれ断続的に検出した場合、ランダムな時間を設定し、その設定したランダムな時間分だけ前記駆動手段の作動を停止して前記検出手段により前記非接触型ＩＣタグの検出を行い、前記ランダムな時間の経過後、再度前記駆動手段を作動させて前記検出手段により前記非接触型ＩＣタグの検出を行うこと
を特徴とする画像形成装置。
【請求項１０】
請求項８に記載の画像形成装置において、
前記制御手段は、前記駆動手段を作動させた状態で、前記検出手段によって複数の前記非接触型ＩＣタグをそれぞれ断続的に検出した場合、ランダムな時間を設定し、その設定したランダムな時間分だけ前記駆動手段の作動を継続して前記検出手段により前記非接触型ＩＣタグの検出を行い、前記ランダムな時間の経過後、前記駆動手段の作動を停止して前記検出手段により前記非接触型ＩＣタグの検出を行うこと
を特徴とする画像形成装置。
【請求項１１】
請求項１ないし請求項７の何れか１項に記載の画像形成装置において、
前記制御手段は、前記駆動手段を作動させた状態で、前記検出手段によって少なくとも１つの前記非接触型ＩＣタグを断続的に検出した場合、ランダムな時間を設定し、その設定したランダムな時間分だけ前記駆動手段の作動を継続した後に作動を停止して、その停止した状態で断続的に検出されなくなった非接触型ＩＣタグを自画像形成装置に装着された交換品が備えるものであると特定すること
を特徴とする画像形成装置。
【請求項１２】
請求項１ないし請求項７の何れか１項に記載の画像形成装置において、
前記制御手段は、前記駆動手段の駆動速度をランダムに設定し、その設定したランダムな駆動速度によって前記駆動手段を作動させた状態で、前記検出手段によって前記ランダムな駆動速度に同調した周期で前記非接触型ＩＣタグを検出した場合、その検出した非接触型ＩＣタグを自画像形成装置に装着された交換品が備えるものであると特定すること
を特徴とする画像形成装置。
【請求項１３】
請求項１ないし請求項１２の何れか１項に記載の画像形成装置において、
前記制御手段は、前記駆動手段を停止させる際に、前記遮蔽状態で停止するように前記駆動手段を制御すること
を特徴とする画像形成装置。
【請求項１４】
請求項４、又は請求項４に従属する請求項５ないし請求項１３の何れか１項に記載の画像形成装置において、
前記制御手段は、自画像形成装置の電源のオン／オフ操作がなされたとき、又は、前記交換品の着脱に係る所定の操作がなされたとき、前記除外対象として記憶された内容を消去すること
を特徴とする画像形成手段。
【請求項１５】
画像形成装置に装着される交換品であって、
当該交換品に関するデータを記憶し、その記憶しているデータを無線通信により送信する非接触型ＩＣタグと、
前記非接触型ＩＣタグを保持する保持部材と、
前記保持部材との位置関係が相対的に変化することで、前記保持部材に保持されている非接触型ＩＣタグを前記画像形成手段が備える検出手段により検出可能な状態に露出させる露出状態と、前記検出手段による検出が不可能な状態に遮蔽する遮蔽状態とに状態変化可能に構成された遮蔽部材とを備えること
を特徴とする交換品。
【発明の詳細な説明】
【技術分野】
【０００１】
交換品に関するデータを無線通信により送受信する非接触型ＩＣタグが設けられた交換品を装着可能であり、その装着された交換品に設けられた非接触型ＩＣタグからデータを読み取る画像形成装置に関する。
【背景技術】
【０００２】
従来、画像形成装置に装着される交換品に非接触型ＩＣタグを取り付け、その取り付けられた非接触型ＩＣタグに対して無線通信によりデータの読み書きを行うことによって、装着された交換品の管理を行う画像形成装置が知られている。このような画像形成装置において、無線通信圏内にあって実際には画像形成装置に装着されていない交換品の非接触型ＩＣタグに対して誤ってデータの読み書きを行うことを防ぐために、画像装置に装着されている交換品と装着されていない交換品とを確実に区別する必要がある。
【０００３】
例えば、特許文献１には、ＲＦＩＤ（Radio Frequency IDentification）タグと検出端子とが備えられている交換品を複数装填可能な装填部に、交換品を装填した際に検出端子と接触する装填部端子を設けた画像形成装置が開示されている。この画像形成装置において、各交換品に備えられたＲＦＩＤタグは、装填部端子と検出端子とが接触しているか否かを判断し、接触している場合は当該接触に伴って画像形成装置から入力される装填部識別コードを付加した情報を送信する。
【先行技術文献】
【特許文献】
【０００４】
【特許文献１】特開２００４−２５８１８６号公報
【発明の概要】
【発明が解決しようとする課題】
【０００５】
しかしながら、特許文献１で開示されているような、画像形成装置側と交換品側のＲＦＩＤタグとの機械的及び電気的接触を必須とする検出機構においては、交換品の装填時に接触不良を起こす可能性がある。すなわち、交換品側の検出端子と画像形成装置側の装填部端子とが接触不良を起こすことによって、画像形成装置に装填された交換品が認識されないおそれがある。
【０００６】
本発明は、上記問題を解決するためになされており、画像形成装置に装着されている交換品を確実に識別するための技術を提供することを目的とする。
【課題を解決するための手段】
【０００７】
上記目的を達成するためになされた請求項１に記載の画像形成装置は、交換品を着脱可能な画像形成装置であって、検出手段と、駆動手段と、制御手段とを備えることを特徴とする。一方、この画像形成装置に装着される交換品は、当該交換品に関するデータを記憶し、その記憶しているデータを無線通信により送信する非接触型ＩＣタグと、非接触型ＩＣタグを保持する保持部材と、保持部材との位置関係が相対的に変化することで、保持部材に保持されている非接触型ＩＣタグを画像形成手段が備える検出手段により検出可能な状態に露出させる露出状態と、検出手段による検出が不可能な状態に遮蔽する遮蔽状態とに状態変化可能に構成された遮蔽部材とを備える。
【０００８】
画像形成装置が備える検出手段は、交換品が備える非接触型ＩＣタグから発信される無線信号を受信することによってその非接触型ＩＣタグを検出する。駆動手段は、自画像形成装置に装着された交換品が備える保持部材又は遮蔽部材の少なくとも何れかに対して、露出状態と遮蔽状態とを交互に状態変化させるように駆動する。制御手段は、駆動手段を作動させた状態で、検出手段によって非接触型ＩＣタグを断続的に検出した場合、その検出した非接触型ＩＣタグを自画像形成装置に装着された交換品が備えるものであると特定する。
【０００９】
なお、交換品が備える遮蔽部材は、非接触型ＩＣタグが出力する電波信号を遮断する電磁シールド材等で構成することが考えられる。また、この電磁シールド材には、一部に切り欠き部分を設けておく。そして、シールド部分を非接触型ＩＣタグと検出手段との間に介在させることで遮蔽状態にし、切り欠き部分を非接触型ＩＣタグと検出手段との間に介在させることで露出状態にすることができる。また、交換品が備える保持部材及び遮蔽部材は、どちらか一方が固定されており、他方が移動することによって露出状態と遮蔽状態とに交互に変化するような構成であってもよいし、保持部材及び遮蔽部材の両方が移動することによって露出状態と遮蔽状態とに交互に変化するような構成であってもよい。
【００１０】
このように構成された画像形成装置によれば、自画像形成装置に装着された交換品に対して露出状態と遮蔽状態と交互に変化させる制御を行い、その制御に同期して断続的に検出された非接触型ＩＣタグを自画像形成装置に装着された交換品が備えるものであると特定する。このようにすることで、自画像形成装置の周辺に置いてある交換品、あるいは自画像形成装置の周辺の他の画像形成装置に装着されている交換品と、自画像形成装置に装着されている交換品との識別を確実に行うことができる。また、交換品に装着された非接触型ＩＣタグと画像形成装置とが機械的又は電気的に接触する構成を要しないため、交換品を画像形成装置に装着した際に接触不良が起こるおそれがなく、好適である。
【００１１】
ところで、非接触型ＩＣタグに対して露出状態と遮蔽状態とを繰り返すといった断続的な作動を行うのに好適な形態としては、周期運動として一般的な回転運動を利用するものが考えられる。そこで、請求項２に記載の画像形成装置のように構成するとよい。すなわち、保持部材は、回転軸を中心にして回転可能に構成された回転部材であり、その回転軸の位置よりも円周面側で非接触型ＩＣタグを保持する。回転軸の位置よりも円周面側に装着された非接触型ＩＣタグは、保持部材の回転に伴い回転軸を中心に回転移動する。また、遮蔽部材は、保持部材の回転に伴って回転する非接触型ＩＣタグが露出状態と遮蔽状態とに交互に状態変化するように構成された固定された部材である。一方、画像形成装置では、駆動手段は、自画像形成装置に装着された交換品が備える保持部材を回転させることで、露出状態と遮蔽状態とを交互に状態変化させる。
【００１２】
なお、保持部材としての回転体は、非接触型ＩＣタグの保持専用のものとして構成されたものであってもよいし、交換品の機能を担う回転機構を兼用するものであってもよい。例えば、交換品がトナー等の画像形成材を充填したカートリッジやドラムユニットである場合、その交換品は搬送ローラーや印刷ドラムといった回転機構を備えるのが一般的である。よって、このような回転機構を構成するローラー等のシャフト部分に非接触型ＩＣタグを保持させるようにすれば、非接触型ＩＣタグの保持のために専用の機構を別途設置する必要がなく、交換品の製造コストやサイズの面で有利である。さらに、画像形成装置側において、交換品のローラー等を駆動させるために元々備えている機構をそのまま本発明の駆動手段として兼用することもできるので、非接触型ＩＣタグの検出のための専用の駆動機構を設けるよりも製造コストやサイズの面で有利である。
【００１３】
あるいは、回転運動を利用して露出状態と遮蔽状態とを繰り返すものとしては、請求項３に記載のように、保持部材側を固定し、遮蔽手段側を回転させるような構成であってもよい。すなわち、遮蔽部材は、保持部材に対して回転可能な回転部材であり、保持部材に対して回転することで、保持部材に保持されている非接触型ＩＣタグが露出状態と遮蔽状態とに交互に状態変化するように構成されている。一方、画像形成装置では、駆動手段は、自画像形成装置に装着された交換品が備える遮蔽部材を回転させることで、露出状態と遮蔽状態とを交互に状態変化させる。
【００１４】
なお、遮蔽部材としての回転体は、非接触型ＩＣタグの遮蔽専用のものとして構成されたものであってもよいし、交換品の機能を担う回転機構を構成する回転部材を兼用するものであってもよい。例えば、搬送ローラーや印刷ドラムといった交換品の機能を担う回転機構を構成するシャフトに非接触型ＩＣタグを遮蔽／露出させるための遮蔽部材を設けることで、非接触型ＩＣタグの遮蔽のための専用の機構を別途設置する必要がなく、交換品の製造コストやサイズの面で有利である。さらに、画像形成装置側において、交換品のローラー等を駆動させるために元々備えている機構をそのまま本発明の駆動手段として兼用することもできるので、非接触型ＩＣタグの検出のための専用の駆動機構を設けるよりも製造コストやサイズの面で有利である。
【００１５】
つぎに、請求項４に記載の画像形成装置においては、制御手段は、駆動手段を作動させていない状態で検出手段によって非接触型ＩＣタグを断続的に検出した場合、その検出した非接触型ＩＣタグを備える交換品は自画像形成装置に装着されていないものであると特定することを特徴とする。
【００１６】
自画像形成装置において駆動手段を作動させていないにも関わらず、非接触型ＩＣタグを断続的に検出したという状況は、自画像形成装置周辺で他の同種の画像形成装置が駆動手段を作動させて非接触型ＩＣタグを断続的に遮蔽／露出させているものを自画像形成装置で検出したことを意味する。したがって、このような状況で断続的に検出した非接触型ＩＣタグを備える交換品は自画像形成装置に装着されていないものであると特定することで、自画像形成装置の周辺の他の画像形成装置に装着されている交換品と、自画像形成装置に装着されている交換品との識別を確実に行うことができる。
【００１７】
さらに、請求項５に記載のように、駆動手段を作動させていない状態で断続的に検出した非接触型ＩＣタグを除外対象として記憶し、その記憶された除外対象の非接触型ＩＣタグについては検出手段による検出結果から除外するように構成することで、自画像形成装置の周辺の他の画像形成装置に装着されている交換品と、自画像形成装置に装着されている交換品との識別が更に容易になる。
【００１８】
つぎに、請求項６に記載の画像形成装置では、制御手段は、駆動手段を作動させていない状態で検出手段によって断続的な非接触型ＩＣタグの検出がなされていない場合、駆動手段を作動させて、検出手段により非接触型ＩＣタグの検出を行うことを特徴とする。なお、ここでいう「検出手段によって断続的な非接触型ＩＣタグの検出がなされていない」状態とは、非接触型ＩＣタグを全く検出していない状態、及び非接触型ＩＣタグを連続的に検出している状態を含むものである。
【００１９】
駆動手段を作動させていない状態で非接触型ＩＣタグが断続的に検出されないという状況は、何れの交換品の非接触型ＩＣタグも全く検出していない場合や、自画像形成装置に装着された交換品又は自画像形成装置周辺に存在する交換品の少なくとも何れかの非接触型ＩＣタグを検出した場合の、何れかに該当することを意味する。
【００２０】
このような状況から駆動手段による駆動を開始して非接触型ＩＣタグ検出を行うことで、自画像形成装置に装着されている交換品の識別を確実に行うことができる。
【００２１】
ところで、制御手段が自画像形成装置に装着された交換品の非接触型ＩＣタグを識別するための具体的な構成としては、請求項７に記載のものが挙げられる。すなわち、制御手段は、駆動手段が備えるモータをオン／オフするための信号を出力することで駆動手段の作動を制御し、そのオン信号の出力期間中に検出手段によって非接触型ＩＣタグを断続的に検出した場合、その検出した非接触型ＩＣタグを自画像形成装置に装着された交換品が備えるものであると特定する。このように、駆動手段のモータのオン期間中に非接触型ＩＣタグを断続的に検出することで、自画像形成装置に装着されている交換品の識別を確実に行うことができる。
【００２２】
つぎに、請求項８に記載の画像形成装置では、制御手段は、駆動手段を作動させた状態で検出手段によって複数の非接触型ＩＣタグをそれぞれ断続的に検出した場合、駆動手段の作動を停止して検出手段により非接触型ＩＣタグの検出を行うことを特徴とする。
【００２３】
駆動手段を作動させている最中に複数の非接触型ＩＣタグをそれぞれ断続的に検出したという状況は、自画像形成装置に装着された交換品の非接触型ＩＣタグを検出するのと同時に、自画像形成装置周辺で他の同種の画像形成装置が駆動手段を作動させて非接触型ＩＣタグを断続的に遮蔽／露出させているものを自画像形成装置で検出したことを意味する。そこで、このような状況では、一旦自画像形成装置における駆動手段の作動を停めてから検出を行い、そこで非接触型ＩＣタグを断続的に検出したのであれば、その検出した非接触型ＩＣタグに該当の交換品は他の画像形成装置に装着されているものと特定できる。このようにすることで、自画像形成装置の周辺の他の画像形成装置に装着されている交換品と、自画像形成装置に装着されている交換品との識別を確実に行うことができる。
【００２４】
なお、請求項８に記載の構成を備える複数の画像形成装置同士が、それぞれ駆動手段の作動中に互いの交換品の非接触型ＩＣタグをそれぞれ断続的に検出した場合、各画像形成装置が同時に駆動手段を停止して再度検出を行う可能性がある。このように、周辺の画像形成装置同士の動作タイミングが偶然に一致した場合、各画像形成装置において除外すべき非接触型ＩＣタグを断続的に検出することができない可能性がある。
【００２５】
このような現象を回避するには、請求項９に記載のように構成するとよい。すなわち、制御手段は、駆動手段を作動させた状態で検出手段によって複数の非接触型ＩＣタグをそれぞれ断続的に検出した場合、ランダムな時間を設定する。そして、その設定したランダムな時間分だけ駆動手段の作動を停止して検出手段により非接触型ＩＣタグの検出を行い、ランダムな時間の経過後、再度駆動手段を作動させて検出手段により非接触型ＩＣタグの検出を行う。
【００２６】
このように、ランダムな時間を設定して、その時間分だけ駆動手段の作動を停止することで、自画像形成装置の周辺の他の画像形成装置との動作タイミングを意図的にずらすことができる。よって、各画像形成装置において除外すべき非接触型ＩＣタグを確実に検出できる。
【００２７】
あるいは、請求項１０に記載の画像形成装置のように構成してもよい。すなわち、制御手段は、駆動手段を作動させた状態で検出手段によって複数の非接触型ＩＣタグをそれぞれ断続的に検出した場合、ランダムな時間を設定する。そして、その設定したランダムな時間分だけ駆動手段の作動を継続して検出手段により非接触型ＩＣタグの検出を行い、ランダムな時間の経過後、駆動手段の作動を停止して検出手段により非接触型ＩＣタグの検出を行う。
【００２８】
このように、ランダムな時間を設定して、その時間分だけ駆動手段の作動を継続してから停止することで、自画像形成装置の周辺の他の画像形成装置との動作タイミングを意図的にずらすことができる。よって、各画像形成装置において除外すべき非接触型ＩＣタグを確実に検出できる。
【００２９】
つぎに、請求項１１に記載の画像形成装置では、制御手段は、駆動手段を作動させた状態で、検出手段によって少なくとも１つの非接触型ＩＣタグを断続的に検出した場合、ランダムな時間を設定し、その設定したランダムな時間分だけ駆動手段の作動を継続した後に作動を停止する。そして、その停止した状態で断続的に検出されなくなった非接触型ＩＣタグを自画像形成装置に装着された交換品が備えるものであると特定することを特徴とする。なお、ここでいう「断続的に検出されなくなった」とは、検出自体が消失した場合の他に、断続的な検出パターンから連続的な検出パターンに変化した場合も含む。
【００３０】
例えば、２台の画像形成装置Ａ，Ｂがあり、そのうちの一方の画像形成装置のみに交換品Ｃがセットされた状態で同時に駆動手段を作動させて非接触型ＩＣタグの検出を行った場合、画像形成装置Ａ，Ｂの双方で交換品Ｃが検出され、それぞれが交換品Ｃを自画像形成装置に装着されたものであると認識してしまう可能性がある。そこで、駆動手段の駆動時間をランダムに設定することで、近接する他の画像形成装置との間で駆動手段の停止タイミングを意図的にずらすことができる。そして、駆動手段を停止したタイミングで断続的に検出されなくなった非接触型ＩＣタグを、自画像形成装置に装着された交換品が備えるものであると特定すれば、上記のような誤認を回避できる。よって、各画像形成装置において、それぞれに装着された交換品の非接触型ＩＣタグを確実に検出できる。
【００３１】
あるいは、請求項１２に記載の画像形成装置のように構成してもよい。すなわち、制御手段は、駆動手段の駆動速度をランダムに設定し、その設定したランダムな駆動速度によって駆動手段を作動させる。その状態で、検出手段によってランダムな駆動速度に同調した周期で非接触型ＩＣタグを検出した場合、その検出した非接触型ＩＣタグを自画像形成装置に装着された交換品が備えるものであると特定することを特徴とする。
【００３２】
このように、自画像形成装置がランダムに設定した駆動速度に準じた固有の周期で非接触型ＩＣタグを検出することで、たとえ、複数の非接触型ＩＣタグを同時に検出した場合や、２台の画像形成装置のうち一方の画像形成装置のみに交換品がセットされた状態で２台同時に駆動手段を作動させて非接触型ＩＣタグの検出を行った場合であっても、自画像形成装置に装着された交換品の非接触型ＩＣタグを確実に識別できる。
【００３３】
つぎに、請求項１３に記載の画像形成装置では、制御手段は、駆動手段を停止させる際に遮蔽状態で停止するように駆動手段を制御することを特徴とする。このように構成することで、駆動手段を作動させていない状態で自画像形成装置に装着された交換品の非接触型ＩＣタグを検出する可能性が低くなる。したがって、自画像形成装置に装着されたものではない交換品の非接触型ＩＣタグを容易に特定できるので好適である。
【００３４】
ところで、今まで自画像形成装置に装着されていなかった交換品で上述の除外対象として記憶されたものが新たに自画像形成装置に装着された場合、除外対象の設定を解除して、その交換品を自画像形成装置に装着されたものであると特定する必要がある。そこで、請求項１４に記載の画像形成装置のように構成するとよい。すなわち、制御手段は、自画像形成装置の電源のオン／オフ操作がなされたとき、又は、交換品の着脱に係る所定の操作がなされたとき、除外対象として記憶された内容を消去する。なお、ここでいう「交換品の着脱に係る所定の操作」とは、例えば、交換品を着脱するために画像形成装置の本体のカバーを開閉する操作や、操作部を介してユーザが交換品の着脱を指示する際に入力する操作等が挙げられる。
【００３５】
このようにすることで、今まで除外対象として記憶されていた交換品が新たに画像形成装置に装着された場合に、その交換品を自画像形成装置に装着されたものであると特定することができるようになる。
【００３６】
つぎに、請求項１５に記載の交換品は、本発明における画像形成装置に装着される交換品であって、当該交換品に関するデータを記憶し、その記憶しているデータを無線通信により送信する非接触型ＩＣタグと、非接触型ＩＣタグを保持する保持部材と、保持部材との位置関係が相対的に変化することで、保持部材に保持されている非接触型ＩＣタグを画像形成手段が備える検出手段により検出可能な状態に露出させる露出状態と、検出手段による検出が不可能な状態に遮蔽する遮蔽状態とに状態変化可能に構成された遮蔽部材とを備えることを特徴とする。
【００３７】
このように構成された交換品を本発明の画像形成装置に適用することで、本発明の画像形成装置に関する上述の効果を奏する。
【図面の簡単な説明】
【００３８】
【図１】プリンタ１の概略構成を示すブロック図である。
【図２】回転する保持部材２２と固定された遮蔽部材２３とによって、非接触型ＩＣタグ３１が露出状態と遮蔽状態とに状態変化するように構成された事例を示す説明図である。
【図３】非接触型ＩＣタグ３１の検出パターンを模式的に示すグラフである。
【図４】固定された保持部材２２と回転する遮蔽部材２３とによって、非接触型ＩＣタグ３１が露出状態と遮蔽状態とに状態変化するように構成された事例を示す説明図である。
【図５】回転する保持部材２２と固定された遮蔽部材２３とによって、非接触型ＩＣタグ３１が露出状態と遮蔽状態とに状態変化するように構成された事例を示す説明図である。
【図６】遮蔽部材２３の蓋板に形成された検出窓２３１が複数設けられている事例を示す説明図である。
【図７】検出処置（１）の手順を示すフローチャートである。
【図８】検出処置（２）の手順を示すフローチャートである。
【図９】検出処置（３）の手順を示すフローチャートである。
【図１０】検出処置（４）の手順を示すフローチャートである。
【図１１】検出除外リスト消去処理の手順を示すフローチャートである。
【発明を実施するための形態】
【００３９】
以下、本発明の一実施形態を図面に基づいて説明する。
【００４０】
［１．プリンタ１の構成の説明］
図１は、本発明の実施形態として例示するプリンタ１の概略構成を示すブロック図である。
【００４１】
このプリンタ１は、制御部１１、不揮発性メモリ１２、操作部１３、表示パネル１４、記録部１５、無線送受信部１６、及びネットワーク接続やローカル接続を介して通信を行うための通信Ｉ／Ｆ１７等を備えている。
【００４２】
制御部１１は、ＣＰＵ，ＲＡＭ，ＲＯＭ等を中心に構成されており、プリンタ１を構成する各部を統括制御し、通信Ｉ／Ｆ１７を介して情報処理装置（例えば、パソコン）から受信した印刷データに基づき、記録媒体上に画像を形成する印刷処理を実行する。不揮発性メモリ１２は、プリンタ１の作動に必要なプログラムや各種データを記憶するためのものである。操作部１３は、ユーザが操作するための複数のキーを備え、これらのキーを介してユーザを介してユーザからの操作情報を取得し、その取得した操作情報を制御部１１に入力する。表示パネル１４は、例えば液晶ディスプレイ等の表示装置で構成されており、ユーザに対して各種情報を提示するためのものである。
【００４３】
記録部１５は、用紙等の記録媒体上に画像を形成（例えば、印刷）する装置である。この記録部１５には、着脱可能な画像形成ユニットとして、例えば、印刷に供する用紙を収容する給紙カートリッジや、トナー等の現像材を用紙に転写するドラムカートリッジ、トナー等の現像材を収容する現像材カートリッジ等の各種の交換品が装着される。なお、図１においては、説明の便宜上、交換品２１が１つ装着されている状態を例示しているが、実際には上述のように複数のカートリッジ式の交換品が記録部１５に装着されることによって画像形成ユニットが構成される。
【００４４】
記録部１５に装着される交換品２１は、例えば、給紙カートリッジであれば給紙ローラー、ドラムカートリッジであれば感光体ドラムや転写ローラー、現像材カートリッジであれば、現像材供給ローラーといった具合に、各交換品の機能を担う各種回転部材を備える。それに対して記録部１５は、制御部１１から出力されるオン／オフ信号に従って回転するモータによって上記の各種回転部材を回転させる駆動部１５１を備える。
【００４５】
一方、交換品２１には、上記ローラー等の回転部材の回転軸を利用して、無線送受信部１６との間でデータの送受信を行う非接触型ＩＣタグ（ＲＦＩＤタグ）３１、非接触型ＩＣタグ３１を保持する保持部材２２、及び保持部材２２に保持されている非接触型ＩＣタグ３１を無線送受信部１６により読み取り可能な状態に露出させる露出状態と、読み取り不可能な状態に遮蔽する遮蔽状態とに状態変化させる遮蔽部材２３が設けられている。
【００４６】
非接触型ＩＣタグ３１は、交換品２１の識別情報（ＩＤ）や仕様情報等を記憶しており、その記憶している情報をプリンタ１が備える無線送受信部１６との間で行われる無線通信により送信する。また、無線送受信部１６を介してプリンタ１側から送信されてきた各種情報を記憶する。
【００４７】
この非接触型ＩＣタグ３１を保持する保持部材２２又は遮蔽部材２３の何れかが、交換品２１の各種ローラーの回転軸と一体に構成されているか、あるいは回転軸と連動して回転可能に構成されている。そして、交換品２１のローラーが駆動部１５１によって回転すると、この回転に連動して保持部材２２と遮蔽部材２３との位置関係が相対的に変化し、非接触型ＩＣタグ３１が前記露出状態と前記遮蔽状態とに交互に状態変化するようになっている。なお、保持部材２２及び遮蔽部材２３の形状や作動についての詳細な説明については後述する。
【００４８】
無線送受信部１６は、制御部１１からの制御に基づいて、記録部１５に装着された交換品２１が備える非接触型ＩＣタグ３１に対して無線通信によるデータの読み書きを行うためのＩＣリーダ・ライタである。
【００４９】
本実施形態のプリンタ１は、自プリンタ１に装着された交換品２１が備える非接触型ＩＣタグ３１から無線通信によって読み取ったＩＤや仕様情報等に基づいて、装着された交換品２１に対する所定の管理を行う。プリンタ１は、自身に複数の異なる種類の交換品が装着されている場合は、そのＩＤを検出することによって各交換品を識別する。また、無線通信圏内にあって実際には自プリンタ１に装着されていない交換品２１の非接触型ＩＣタグ３１を検出してしまうことで、その交換品２１を自プリンタ１に装着されたものと誤認するのを防ぐ必要がある。そこで、自プリンタ１に装着されている交換品２１と、そうでない交換品２１とを確実に区別するための、本発明の特徴的な構成及び処理の内容について以下に説明する。
【００５０】
［２．保持部材２２及び遮蔽部材２３の構成の説明］
ここで、交換品２１に備えられる非接触型ＩＣタグ３１を保持する保持部材２２、及び、非接触型ＩＣタグ３１を露出状態と遮蔽状態とに状態変化させるための遮蔽部材２３の詳細について、複数の事例を挙げて説明する。
【００５１】
（２−１）保持部材２２が回転側、遮蔽部材２３が固定側である場合
図２は、回転する保持部材２２と固定された遮蔽部材２３とによって、非接触型ＩＣタグ３１が露出状態と遮蔽状態とに状態変化するように構成された事例を示す説明図である。
【００５２】
図２（ａ）に示すように、交換品２１の側面にはローラー軸の端部が突出しており、その突出したローラー軸の端部を利用して回転可能な保持部材２２が形成される。この保持部材２２は、円柱状部材の円周面側表面に非接触型ＩＣタグ３１を保持しており、交換品２１のローラーが回転すると共に図中に示す回転軸を中心に回転する。これにより、保持部材２２の表面に保持されている非接触型ＩＣタグ３１が回転軸の周囲を回転する構成となっている。なお、保持部材２２は、非接触型ＩＣタグ３１が送受信する電波を遮蔽する材料（例えば、金属）で構成されており、その結果、保持されている非接触型ＩＣタグ３１は表面側でのみ通信が可能な指向性を有する。
【００５３】
一方、遮蔽部材２３は、内径が保持部材２２の円柱外径よりも極僅かに大きく作られた円筒形で、かつ、円周面の一部が円筒軸方向に沿って等幅に切り欠かれた略Ｃ字形の断面を有する部材である。そして、その円筒の中心軸を保持部材２２の回転軸に合わせた位置で、遮蔽部材２３の円筒内周面で保持部材２２の円周面を囲むようにして交換品２１の外装に固定されている。この遮蔽部材２３は、非接触型ＩＣタグ３１が送受信する電波を遮蔽する材料（例えば、金属）で構成されており、切り欠き部分以外の部位で保持部材２２に保持されている非接触型ＩＣタグ３１の表面側を覆うことで、プリンタ１が備える無線送受信部１６からその非接触型ＩＣタグ３１を検出できないようにできる。
【００５４】
以上のように構成された保持部材２２及び遮蔽部材２３において、回転側の保持部材２２を回転させて非接触型ＩＣタグ３１を遮蔽部材２３に対して変位させると、非接触型ＩＣタグ３１が遮蔽部材２３に覆われた状態と、非接触型ＩＣタグ３１が遮蔽部材２３の切り欠き部分に露出した状態とを交互に繰り返すことになる。
【００５５】
次に、図２（ｂ），（ｃ）は、保持部材２２及び、この保持部材２２を覆う遮蔽部材２３を端面方向から断面的に見た説明図である。
【００５６】
図２（ｂ）に示すように、非接触型ＩＣタグ３１の表面が遮蔽部材２３の切り欠き部分に露出した状態になると、プリンタ１が備える無線送受信部１６から非接触型ＩＣタグ３１を読み取り（検出）可能な「露出状態」となる。
【００５７】
一方、図２（ｃ）に示すように、非接触型ＩＣタグ３１の表面が遮蔽部材２３に覆われた状態になると、この遮蔽部材２３と保持部材２２とによって通信電波が遮蔽されるため、プリンタ１が備える無線送受信部１６から非接触型ＩＣタグ３１を読み取り（検出）できない「遮蔽状態」となる。
【００５８】
以上のように構成された遮蔽部材２３及び保持部材２２を有する交換品２１において、駆動部１５１によって保持部材２２を一定速度で回転させた場合、無線送受信部１６による非接触型ＩＣタグ３１の検出パターンは図３に示すグラフのようになる。すなわち、駆動部１５１を作動させている期間中において、保持部材２２と共に非接触型ＩＣタグ３１が１回転する１周期ごとに短時間の検出が１回だけ現れ、回転が継続することで、その短時間の検出が周期的に現れるようになる。
【００５９】
（２−２）保持部材２２が固定側、遮蔽部材２３が回転側である場合
図４は、固定された保持部材２２と回転する遮蔽部材２３とによって、非接触型ＩＣタグ３１が露出状態と遮蔽状態とに状態変化するように構成された事例を示す説明図である。
【００６０】
図４（ａ）に示すように、交換品２１の側面にはローラー軸の端部が突出しており、その突出したローラー軸の端部を利用して回転可能な遮蔽部材２３が形成される。この遮蔽部材２３は、円柱形の保持部材２２の外径よりも内径が極僅かに大きく作られた円筒形で、かつ、その円周面の一部が円筒軸方向に沿って等幅に切り欠かれた略Ｃ字形の断面を有する部材である。そして、その円筒内周面で円柱形の保持部材２２の円周面を囲むようにして配置される。さらに、遮蔽部材２３は、交換品２１のローラーが回転すると、これに連動して図中に示す回転軸を中心に回転するように構成される。これにより、遮蔽部材２３が保持部材２２の周囲で回転する構成となっている。この遮蔽部材２３は、非接触型ＩＣタグ３１が送受信する電波を遮蔽する材料（例えば、金属）で構成されており、切り欠き部分以外の部位で保持部材２２に保持されている非接触型ＩＣタグ３１の表面側を覆うことで、プリンタ１が備える無線送受信部１６からその非接触型ＩＣタグ３１を検出できないようにできる。
【００６１】
一方、保持部材２２は、円柱状部材の円周面側表面に非接触型ＩＣタグ３１を保持しており、その円柱の中心軸を遮蔽部材２３の回転軸と合わせるようにして、円周面が遮蔽部材２３に覆われた状態で交換品２１の外装に固定されている。なお、保持部材２２は、非接触型ＩＣタグ３１が送受信する電波を遮蔽する材料（例えば、金属）で構成されており、その結果、保持されている非接触型ＩＣタグ３１は表面側でのみ通信が可能な指向性を有する。
【００６２】
以上のように構成された保持部材２２及び遮蔽部材２３において、回転側の遮蔽部材２３を回転させて非接触型ＩＣタグ３１に対して変位させると、非接触型ＩＣタグ３１が遮蔽部材２３に覆われた状態と、非接触型ＩＣタグ３１が遮蔽部材２３の切り欠き部分に露出した状態とを交互に繰り返すことになる。
【００６３】
次に、図４（ｂ），（ｃ）は、保持部材２２及び、この保持部材２２を覆う遮蔽部材２３を端面方向から断面的に見た説明図である。
【００６４】
図４（ｂ）に示すように、遮蔽部材２３の切り欠き部分が非接触型ＩＣタグ３１の保持された箇所に位置することによって非接触型ＩＣタグ３１の表面が露出した状態になると、プリンタ１が備える無線送受信部１６から非接触型ＩＣタグ３１を読み取り（検出）可能な「露出状態」となる。
【００６５】
一方、図４（ｃ）に示すように、非接触型ＩＣタグ３１の表面が遮蔽部材２３に覆われた状態になると、この遮蔽部材２３と保持部材２２とによって通信電波が遮蔽されるため、プリンタ１が備える無線送受信部１６から非接触型ＩＣタグ３１を読み取り（検出）できない「遮蔽状態」となる。
【００６６】
以上のように構成された遮蔽部材２３及び保持部材２２を有する交換品２１において、駆動部１５１によって遮蔽部材２３を一定速度で回転させた場合、無線送受信部１６による非接触型ＩＣタグ３１の検出パターンは図３に示すグラフのようになる。すなわち、駆動部１５１を作動させている期間中において、遮蔽部材２３が１回転する１周期ごとに短時間の検出が１回だけ現れ、回転が継続することで、その短時間の検出が周期的に現れるようになる。
【００６７】
（２−３）保持部材２２及び遮蔽部材２３の形状のバリエーション
図５は、保持部材２２及び遮蔽部材２３の形状が上記（２−１），（２−２）の事例（図２，４参照）とは異なる構成であって、回転する保持部材２２と固定された遮蔽部材２３とによって、非接触型ＩＣタグ３１が露出状態と遮蔽状態とに状態変化するように構成された事例を示す説明図である。
【００６８】
図５（ａ）に示すように、交換品２１の側面にはローラー軸の端部が突出しており、その突出したローラー軸の端部を利用して回転可能な保持部材２２が形成される。この保持部材２２は、円柱状部材の端面側表面に非接触型ＩＣタグ３１を保持しており、交換品２１のローラーが回転すると共に図中に示す回転軸を中心に回転する。なお、非接触型ＩＣタグ３１は、保持部材２２の円柱の端面において回転軸の位置から円周面側にずれた位置で保持されており、保持部材２２が回転することによって非接触型ＩＣタグ３１が回転軸の周囲を回転する構成となっている。なお、保持部材２２は、非接触型ＩＣタグ３１が送受信する電波を遮蔽する材料（例えば、金属）で構成されており、その結果、保持されている非接触型ＩＣタグ３１は表面側でのみ通信が可能な指向性を有する。
【００６９】
一方、遮蔽部材２３は、内径が保持部材２２の円柱外径よりも極僅かに大きく作られた円筒形で、かつ、一方の開口端部が蓋板によって塞がれた円筒蓋状の部材である。そして、円筒の中心軸を保持部材２２の回転軸に合わせるようにして、その円筒内周面と蓋板の内側とで、保持部材２２の円周面及び非接触型ＩＣタグ３１が保持された端面を囲むようにして交換品２１の外装に固定されている。さらに、遮蔽部材２３の蓋板には、非接触型ＩＣタグ３１が回転軸の周囲を回転した際の軌道上に重なる位置に、非接触型ＩＣタグ３１全体がようやく露出する程度の大きさの検出窓２３１が１箇所開口されている。
【００７０】
この遮蔽部材２３は、非接触型ＩＣタグ３１が送受信する電波を遮蔽する材料（例えば、金属）で構成されており、検出窓２３１の以外の部位で保持部材２２に保持されている非接触型ＩＣタグ３１の表面側を覆うことで、プリンタ１が備える無線送受信部１６からその非接触型ＩＣタグ３１を検出できないようにできる。
【００７１】
以上のように構成された保持部材２２及び遮蔽部材２３において、回転側の保持部材２２を回転させて非接触型ＩＣタグ３１を遮蔽部材２３に対して変位させると、非接触型ＩＣタグ３１が遮蔽部材２３に覆われた状態と、非接触型ＩＣタグ３１が検出窓２３１の位置で露出した状態とを交互に繰り返すことになる。
【００７２】
次に、図５（ｂ），（ｃ）は、保持部材２２及び、この保持部材２２を覆う遮蔽部材２３を端面方向から見た説明図である。
【００７３】
図５（ｂ）に示すように、保持部材２２が回転軸を中心に回転し、非接触型ＩＣタグ３１の表面が遮蔽部材２３の検出窓２３１の位置で露出した状態になると、プリンタ１が備える無線送受信部１６から非接触型ＩＣタグ３１を読み取り（検出）可能な「露出状態」となる。
【００７４】
一方、図５（ｃ）に示すように、保持部材２２が回転軸を中心に回転し、非接触型ＩＣタグ３１の表面が遮蔽部材２３の蓋板に覆われた状態になると、この遮蔽部材２３と保持部材２２とによって通信電波が遮蔽されるため、プリンタ１が備える無線送受信部１６から非接触型ＩＣタグ３１を読み取り（検出）できない「遮蔽状態」となる。
【００７５】
以上のように構成された遮蔽部材２３及び保持部材２２を有する交換品２１において、駆動部１５１によって保持部材２２を一定速度で回転させた場合、無線送受信部１６による非接触型ＩＣタグ３１の検出パターンは図３に示すグラフのようになる。すなわち、駆動部１５１を作動させている期間中において、保持部材２２と共に非接触型ＩＣタグ３１が１回転する１周期ごとに短時間の検出が１回だけ現れ、回転が継続することで、その短時間の検出が周期的に現れるようになる。
【００７６】
（２−４）検出窓が複数ある場合の検出パターン
図６は、保持部材２２及び遮蔽部材２３の形状が上記（２−３）で示した事例（図５参照）と同様の構成であって、遮蔽部材２３の蓋板に形成された検出窓２３１が複数設けられている場合の検出パターンを示す説明図である。
【００７７】
図６（ａ）に示すように、回転する保持部材２２を覆う円筒蓋状の遮蔽部材２３の蓋板には、回転移動する非接触型ＩＣタグ３１の軌道上に検出窓２３１が２箇所開口されている。
【００７８】
このように構成された遮蔽部材２３及び保持部材２２を有する交換品２１において、駆動部１５１によって保持部材２２を一定速度で回転させた場合、無線送受信部１６による非接触型ＩＣタグ３１の検出パターンは図６（ｂ）に示すグラフのようになる。すなわち、駆動部１５１を作動させている期間中において、保持部材２２と共に非接触型ＩＣタグ３１が１回転する１周期ごとに短時間の検出が２回連続で現れ、回転が継続することで、その２回分の検出が周期的に現れるようになる。
【００７９】
なお、遮蔽部材２３に設ける検出窓２３１の数を増やすことで、１周期あたりの検出回数を増やすこともできる。また、検出窓２３１同士の位置関係を変えることによって、１周期あたりの検出タイミングを変えることもできる。よって、検出窓２３１の数や配置場所を様々に組み合わせることで、交換品２１ごとに独自の検出パターンを作り出すことも可能である。このような検出パターンの違いによって、プリンタ１側で交換品２１の種別等を認識できるようにしてもよい。
【００８０】
［３．制御部１１が実行する検出処理の説明］
つぎに、上述の（２−１）〜（２−４）の各事例で示した交換品２１の構成を利用して、制御部１１が自プリンタ１に装着された交換品２１を識別するために実行する検出処理（１），（２），（３），（４）の手順について説明する。なお、以下の説明において、「駆動部１５１を回転させる」等と表記した場合、駆動部１５１を回転させることで、上述の（２−１）〜（２−４）の各事例（図２，４，５，６参照）においてそれぞれ回転側として構成された保持部材２２又は遮蔽部材２３を回転させ、非接触型ＩＣタグ３１を露出状態と遮蔽状態とに交互に状態変化させることを指す。
【００８１】
（３−１）検出処理（１）の説明
図７は、制御部１１が実行する検出処理の第１実施形態である検出処置（１）の手順を示すフローチャートである。この処理は、自プリンタ１に装着された交換品２１の識別を要する所定のタイミングにおいて実行される処理である。ここでいう所定のタイミングとしては、プリンタ１に電源が投入されたタイミングや、プリンタ１に装着されている交換品２１を交換する際に開閉されるカバーの開閉動作を検出したタイミング等が挙げられる。
【００８２】
制御部１１は、まず、駆動部１５１を停止した状態で、無線送受信部１６によって所定時間だけ非接触型ＩＣタグ３１のＩＤを検出する（Ｓ１０１）。非接触型ＩＣタグ３１のＩＤの検出は、無線送受信部１６から非接触型ＩＣタグ３１に対して各自のＩＤの返信を要求する信号を連続的に発信し、その信号に応じて通信圏内にある非接触型ＩＣタグ３１から送信されてくるＩＤを受信することによって行う。なお、無線送受信部１６によって非接触型ＩＣタグ３１のＩＤを検出する際、後述の検出除外リストに登録されているＩＤと同じＩＤを検出した場合、その検出結果については無視する。すなわち、検出していないものと見なす。
【００８３】
つぎに、Ｓ１０１において所定時間の検出を行った結果、非接触型ＩＣタグ３１のＩＤを検出したか否かを判定する（Ｓ１０２）。ここで、非接触型ＩＣタグ３１のＩＤを検出したと判定した場合（Ｓ１０２：ＹＥＳ）、そのＩＤの検出パターンが周期的なものであったか否かを判定する（Ｓ１０３）。ここで、駆動部１５１を停止した状態で非接触型ＩＣタグ３１のＩＤを周期的に検出した場合、自プリンタ１に装着された交換品２１の非接触型ＩＣタグ３１を検出したのではなく、自プリンタ１の近傍で他のプリンタ１が非接触型ＩＣタグ３１を露出状態と遮蔽状態とに交互に状態変化させながらＩＤの検出を行っていたものを、自プリンタ１で検出したと特定できる。よって、この場合（Ｓ１０３：ＹＥＳ）、周期的に検出したＩＤに該当する交換品２１は、自プリンタ１に装着されているものではないと特定し、そのＩＤを自プリンタ１で記憶している検出除外リストに登録する（Ｓ１０４）。その後、Ｓ１０１の処理に戻る。この検出除外リストは、自プリンタ１に装着されていないと特定された交換品２１のＩＤの一覧であり、この検出除外リストに登録されたＩＤは、無線送受信部１６による検出結果から除外する対象となる。
【００８４】
一方、Ｓ１０１での検出の結果、非接触型ＩＣタグ３１のＩＤを検出しなかったと判定した場合（Ｓ１０２：ＮＯ）、あるいは、周期的な検出ではなく連続的に非接触型ＩＣタグ３１のＩＤを検出したと判定した場合（Ｓ１０３：ＮＯ）、駆動部１５１を稼動させるための電源オンの信号を出力し、駆動部１５１の回転を開始する（Ｓ１０５）。駆動部１５１が回転を開始することで、自プリンタ１に装着されている交換品２１の非接触型ＩＣタグ３１が露出状態と遮蔽状態とに交互に状態変化する。
【００８５】
そして、駆動部１５１の回転中に非接触型ＩＣタグ３１のＩＤを検出したか否かを判定する（Ｓ１０６）。なお、ここでも上述の検出除外リストに登録されているＩＤと同じＩＤを検出した場合、その検出結果については無視する。Ｓ１０６で非接触型ＩＣタグ３１のＩＤを検出していないと判定した場合（Ｓ１０６：ＮＯ）、駆動部１５１の回転開始から所定のタイムアウト時間を経過したか否かを判定する（Ｓ１０８）。タイムアウト時間を経過していないと判定した場合（Ｓ１０８：ＮＯ）、Ｓ１０６の処理へ戻る。
【００８６】
一方、Ｓ１０６で、非接触型ＩＣタグ３１のＩＤを検出したと判定した場合（Ｓ１０６：ＹＥＳ）、そのＩＤの検出パターンが周期的なものであったか否かを判定する（Ｓ１０７）。ここで、周期的な検出ではなく連続的にＩＤを検出したと判定した場合（Ｓ１０７：ＮＯ）、Ｓ１０８へ移行してタイムアウトの判定を行う。
【００８７】
一方、Ｓ１０７で周期的なＩＤの検出をしたと判定した場合（Ｓ１０７：ＹＥＳ）、複数の非接触型ＩＣタグ３１のＩＤを周期的に検出したか否かを判定する（Ｓ１０９）。なお、このＳ１０９では、プリンタ１が非接触型ＩＣタグ３１を装備した交換品２１を複数種類装着可能である場合、検出したＩＤが複数であるか否かを判断すると共に、検出した複数のＩＤが同じ種類の交換品であることを示すものであるか否かも同時に判断する。複数のＩＤを検出していない場合、あるいは、検出した複数のＩＤが全て異なる種類の交換品であることを示す場合、否定判定をする（Ｓ１０９：ＮＯ）。一方、複数のＩＤを検出し、かつ、検出した複数のＩＤのうち、同じ種類の交換品であることを示すＩＤが存在する場合、肯定判定（Ｓ１０９：ＹＥＳ）をする。
【００８８】
Ｓ１０９で複数の非接触型ＩＣタグ３１のＩＤを検出せず、単独のＩＤを周期的に検出したと判定した場合（Ｓ１０９：ＮＯ）、その検出したＩＤを自プリンタ１に装着された交換品２１のＩＤであると特定する（Ｓ１１０）。その後、駆動部１５１に対して電源オフの信号を出力し、駆動部１５１の回転を停止させ（Ｓ１１１）、検出処理（１）を終了する。なお、制御部１１が駆動部１５１を停止させる際、モータの回転角度を制御することで交換品２１の非接触型ＩＣタグ３１が遮蔽状態となるようにする。こうすることで、次の機会において駆動部１５１を停止させた状態で検出を行う際に、自プリンタ１に装着された交換品２１の非接触型ＩＣタグ３１を検出する可能性が低くなり、自プリンタ１に装着されていない交換品２１を識別し易くなる。ただし、駆動部１５１の回転中に不慮の事態によってプリンタ１の電源がオフになる等した場合には、この限りではない。
【００８９】
一方、Ｓ１０５で駆動部１５１の回転を開始してから、何れの非接触型ＩＣタグ３１のＩＤも検出しない状態（Ｓ１０６：ＮＯ）のまま、あるいは、検出したとしても連続的な検出のみの状態（Ｓ１０７：ＮＯ）のまま、Ｓ１０８でタイムアウト時間が経過したと判定した場合（Ｓ１０８：ＹＥＳ）、自プリンタ１には交換品２１が装着されていないと特定する（Ｓ１１２）。その際、何らかのＩＤを検出している場合は、その交換品２１のＩＤを検出除外リストに登録してもよい。Ｓ１１２の後、駆動部１５１に対して電源オフの信号を出力し、駆動部１５１の回転を停止させ（Ｓ１１１）、検出処理（１）を終了する。
【００９０】
一方、Ｓ１０９で、駆動部１５１の回転中に複数の非接触型ＩＣタグ３１のＩＤを周期的に検出したと判定した場合（Ｓ１０９：ＹＥＳ）、駆動部１５１に対して電源オフの信号を出力し、駆動部１５１の回転を停止する（Ｓ１１３）。このとき、交換品２１の非接触型ＩＣタグ３１が遮蔽状態となるようにする。
【００９１】
なお、駆動部１５１の回転中において複数の非接触型ＩＣタグ３１のＩＤを周期的に検出したということは、すなわち、自プリンタ１に装着された交換品２１の非接触型ＩＣタグ３１を検出しただけではなく、他のプリンタ１が自プリンタ１と同時に駆動部１５１を回転させながらＩＤの検出を行っていたものを、自プリンタ１側で検出したことになる。よってこの場合、その検出したＩＤが自プリンタ１に装着された交換品２１ものであるか、他のプリンタ１に装着された交換品２１のものであるかを特定する必要がある。
【００９２】
そこで、まず、自プリンタ１の駆動部１５１を停止し（Ｓ１１３）、ランダムな検出時間をセットする（Ｓ１１４）。そして、Ｓ１０１へ移行し、駆動部１５１を停止した状態で、Ｓ１１４でセットしたランダムな検出時間だけ非接触型ＩＣタグ３１のＩＤを検出する。その検出時間のうちに、非接触型ＩＣタグ３１を周期的に検出した場合（Ｓ１０３：ＹＥＳ）、その検出したＩＤに該当する交換品２１は、自プリンタ１に装着されているものではないと特定し、そのＩＤを自プリンタ１で記憶している検出除外リストに登録する（Ｓ１０４）。これにより、他のプリンタ１に装着された交換品２１の非接触型ＩＣタグ３１は検出されなくなるから、以降Ｓ１０１〜Ｓ１１１の手順によって自プリンタ１に装着されている交換品２１のＩＤを特定できるのである。
【００９３】
もし、Ｓ１１４でセットした検出時間のうちに非接触型ＩＣタグ３１を周期的に検出できなかった場合（Ｓ１０３：ＮＯ）、既に他のプリンタ１側では駆動部１５１の回転が停止しているはずなので、上述のＳ１０５〜Ｓ１１１の手順によって自プリンタ１に装着されている交換品２１のＩＤを特定できるのである。
【００９４】
（３−２）検出処理（２）の説明
つぎに、図８は、制御部１１が実行する検出処理の第２実施形態である検出処置（２）の手順を示すフローチャートである。この処理は、上述の検出処置（１）と同様に自プリンタ１に装着された交換品２１の識別を要する所定のタイミングにおいて実行される処理である。ここでいう所定のタイミングとしては、プリンタ１に電源が投入されたタイミングや、プリンタ１に装着されている交換品２１を交換する際に開閉されるカバーの開閉動作を検出したタイミング等が挙げられる。なお、検出処置（２）におけるＳ２０１〜Ｓ２１２の手順については、図７の検出処置（１）のＳ１０１〜Ｓ１１２の手順と同様であるのでここでの説明は省略する。よって、ここでは、Ｓ２０９で肯定判定をした以降のＳ２１３〜Ｓ２１５の手順について説明する。
【００９５】
制御部１１は、Ｓ２０９で駆動部１５１の回転中に複数の非接触型ＩＣタグ３１のＩＤを周期的に検出したと判定した場合（Ｓ２０９：ＹＥＳ）、ランダムな検出時間をセットする（Ｓ２１３）。なお、このＳ２１３の処理は最初の１周目だけ実行し、２周目以降はスキップする。
【００９６】
駆動部１５１の回転中において複数の非接触型ＩＣタグ３１のＩＤを周期的に検出したということは、すなわち、自プリンタ１に装着された交換品２１の非接触型ＩＣタグ３１を検出しただけではなく、他のプリンタ１が自プリンタ１と同時に駆動部１５１を回転させながらＩＤの検出を行っていたものを、自プリンタ１側で検出したことになる。よってこの場合、その検出したＩＤが自プリンタ１に装着された交換品２１ものであるか、他のプリンタ１に装着された交換品２１のものであるかを特定する必要がある。
【００９７】
そこで、Ｓ２１３において自プリンタ１側で現在回転中である駆動部１５１の回転を継続させるランダムな検出時間をＳ２１３でセットする。そして、ランダムな検出時間をセットした時点から、その検出時間が経過した（タイムアウト）したか否かを判定する（Ｓ２１４）。ここで、タイムアウトしていないと判定した場合（Ｓ２１４：ＮＯ）、Ｓ２０６の処理へ移行し、駆動部１５１の回転中に非接触型ＩＣタグ３１のＩＤを検出したか否かを判定する。
【００９８】
すなわち、ここでは、自プリンタ１側で駆動部１５１の回転を継続させている間に、他のプリンタ１側で駆動部１５１が停止して他のプリンタ１側のＩＤが周期的に検出されなくなることを期待して、非接触型ＩＣタグ３１のＩＤの検出を継続するのである。したがって、その後Ｓ２０９において単独のＩＤが周期的に検出されたと判定した場合（Ｓ２０９：ＮＯ）、Ｓ２１０の処理で自プリンタ１に装着されている交換品２１のＩＤを特定できるのである。
【００９９】
一方、自プリンタ１側で駆動部１５１の回転を継続させている間、依然として複数のＩＤを周期的に検出し続けた結果（Ｓ２０９：ＮＯ）、Ｓ２１４において検出時間が経過した（タイムアウト）したと判定した場合（Ｓ２１４：ＹＥＳ）、駆動部１５１に対して電源オフの信号を出力し、駆動部１５１の回転を停止する（Ｓ２１５）。このとき、交換品２１の非接触型ＩＣタグ３１が遮蔽状態となるようにする。
【０１００】
そして、Ｓ２０１へ移行し、駆動部１５１を停止した状態で、所定の検出時間だけ非接触型ＩＣタグ３１のＩＤを検出する。その検出時間のうちに、非接触型ＩＣタグ３１を周期的に検出した場合（Ｓ２０３：ＹＥＳ）、その検出したＩＤに該当する交換品２１は、自プリンタ１に装着されているものではないと特定し、そのＩＤを自プリンタ１で記憶している検出除外リストに登録する（Ｓ２０４）。これにより、他のプリンタ１に装着された交換品２１の非接触型ＩＣタグ３１は検出されなくなるから、以降Ｓ２０１〜Ｓ２１１の手順によって自プリンタ１に装着されている交換品２１のＩＤを特定できるのである。
【０１０１】
（３−３）検出処理（３）の説明
つぎに、図９は、制御部１１が実行する検出処理の第３実施形態である検出処置（３）の手順を示すフローチャートである。この処理は、自プリンタ１に装着された交換品２１の識別を要する所定のタイミングにおいて実行される処理である。ここでいう所定のタイミングとしては、プリンタ１に電源が投入されたタイミングや、プリンタ１に装着されている交換品２１を交換する際に開閉されるカバーの開閉動作を検出したタイミング等が挙げられる。
【０１０２】
制御部１１は、まず、駆動部１５１を稼動させるための電源オンの信号を出力し、駆動部１５１の回転を開始する（Ｓ３０１）。駆動部１５１が回転を開始することで、自プリンタ１に装着されている交換品２１の非接触型ＩＣタグ３１が露出状態と遮蔽状態とに交互に状態変化する。そして、駆動部１５１の回転中に非接触型ＩＣタグ３１のＩＤを連続的な検出パターンで検出したか否かを判定する（Ｓ３０２）。なお、ここでは後述の検出除外リストに登録されているＩＤと同じＩＤを検出した場合、その検出結果については無視する。すなわち、検出していないものと見なす。
【０１０３】
Ｓ３０２で非接触型ＩＣタグ３１のＩＤを連続的に検出した場合、自プリンタ１に装着された交換品２１の非接触型ＩＣタグ３１を検出したのではなく、自プリンタ１の近傍にある停止状態の交換品２１の非接触型ＩＣタグ３１を自プリンタ１で検出したと特定できる。よって、この場合（Ｓ３０２：ＹＥＳ）、連続的に検出したＩＤに該当する交換品２１は、自プリンタ１に装着されているものではないと特定し、そのＩＤを自プリンタ１で記憶している検出除外リストに登録する（Ｓ３０３）。その後、Ｓ３０４の処理へ移行する。この検出除外リストは、自プリンタ１に装着されていないと特定された交換品２１のＩＤの一覧であり、この検出除外リストに登録されたＩＤは、無線送受信部１６による検出結果から除外する対象となる。一方、Ｓ３０２で非接触型ＩＣタグ３１のＩＤを連続的な検出パターンで検出していないと判定した場合（Ｓ３０２：ＮＯ）、Ｓ３０４の処理へ移行する。
【０１０４】
Ｓ３０４では、駆動部１５１の回転中に非接触型ＩＣタグ３１のＩＤを周期的な検出パターンで検出したか否かを判定する。なお、ここでも上述の検出除外リストに登録されているＩＤと同じＩＤを検出した場合、その検出結果については無視する。Ｓ３０４で非接触型ＩＣタグ３１のＩＤを検出していないと判定した場合（Ｓ３０４：ＮＯ）、駆動部１５１の回転開始から所定のタイムアウト時間を経過したか否かを判定する（Ｓ３０５）。
【０１０５】
ここで、タイムアウト時間を経過していないと判定した場合（Ｓ３０５：ＮＯ）、Ｓ３０２の処理へ戻る。一方、Ｓ３０１で駆動部１５１の回転を開始してから、非接触型ＩＣタグ３１のＩＤを周期的なパターンで検出しない状態（Ｓ３０４：ＮＯ）のまま、Ｓ３０５でタイムアウト時間が経過したと判定した場合（Ｓ３０５：ＹＥＳ）、駆動部１５１の回転を停止する（Ｓ３０６）。そして、自プリンタ１には交換品２１が装着されていないと特定し（Ｓ３０７）、検出処理（３）を終了する。
【０１０６】
一方、Ｓ３０４で駆動部１５１の回転中に非接触型ＩＣタグ３１のＩＤを周期的な検出パターンで検出したと判定した場合（Ｓ３０４：ＹＥＳ）、周期的に検出した全てのＩＤを暫定ＩＤとして記憶する（Ｓ３０８）。
【０１０７】
なお、駆動部１５１の回転中において非接触型ＩＣタグ３１のＩＤを周期的に検出したということは、すなわち、自プリンタ１に装着された交換品２１の非接触型ＩＣタグ３１を検出した可能性もあるし、自プリンタ１には交換品２１が装着されておらず、他のプリンタ１が自プリンタ１と同時に駆動部１５１を回転させながらＩＤの検出を行っていたものを、自プリンタ１側で検出した可能性もある。また、自プリンタ１に装着された交換品２１の非接触型ＩＣタグ３１を検出し、かつ、他のプリンタ１に装着された交換品２１の非接触型ＩＣタグ３１を自プリンタ１側で検出した可能性もある。よってこの場合、周期的に検出したＩＤが自プリンタ１に装着された交換品２１ものであるか、他のプリンタ１に装着された交換品２１のものであるかを特定する必要がある。
【０１０８】
そこで、Ｓ３０９では、自プリンタ１側で現在回転中である駆動部１５１の回転を継続させるランダムな検出時間をセットする。なお、ここでセットするランダムな検出時間は、乱数を元に都度生成してもよいし、例えば製品個体ごとに固有のシリアルナンバー等から一意に生成される固有の値を用いてもよい。つぎに、Ｓ３０９でランダムな検出時間をセットした時点から、その検出時間が経過した（タイムアウト）したか否かを判定する（Ｓ３１０）。
【０１０９】
ここで、タイムアウトしていないと判定した場合（Ｓ３１０：ＮＯ）、暫定ＩＤを記憶した時点から、周期的に検出しているＩＤの個数に変化があったか否かを判定する（Ｓ３１１）。周期的に検出しているＩＤの個数に変化がないと判定した場合（Ｓ３１１：ＮＯ）、Ｓ３１０の処理へ戻る。一方、Ｓ３１１で周期的に検出しているＩＤの個数に変化があったと判定した場合（Ｓ３１１：ＹＥＳ）、途中で検出されなくなったＩＤを暫定ＩＤのリストから削除し、そのＩＤを検出除外リストに登録する（Ｓ３１２）。これにより、他のプリンタ１に装着された交換品２１の非接触型ＩＣタグ３１は検出されなくなる。
【０１１０】
すなわち、ここでは、自プリンタ１側で駆動部１５１の回転を継続させている間に、他のプリンタ１側で駆動部１５１が停止して他のプリンタ１側のＩＤが周期的に検出されなくなることを期待して、非接触型ＩＣタグ３１のＩＤの検出を継続するのである。なお、ランダムな検出時間を設定するのは、同じく駆動部１５１を回転させている他のプリンタ１との間で回転を停止するタイミングを意図的にずらすためである。
【０１１１】
つぎに、Ｓ３１３では、暫定ＩＤの個数が０であるか否かを判定する。ここで、暫定ＩＤの個数が０ではないと判定した場合（Ｓ３１３：ＮＯ）、Ｓ３１０の処理へ戻る。一方、Ｓ３１３で暫定ＩＤの個数が０であると判定した場合（Ｓ３１３：ＹＥＳ）、駆動部１５１の回転を停止する（Ｓ３１４）。そして、自プリンタ１には交換品２１が装着されていないと特定し（Ｓ３１９）、検出処理（３）を終了する。
【０１１２】
一方、検出時間中にＳ３１０〜Ｓ３１３の処理を順次繰り返した結果、Ｓ３１０で検出時間が経過した（タイムアウト）したと判定した場合（Ｓ３１０：ＹＥＳ）、駆動部１５１の回転を停止し（Ｓ３１５）、そこから回転側の保持部材２２あるいは遮蔽部材２３が１回転する１周期分に相当する時間だけ待機する（Ｓ３１６）。待機後、駆動部１５１の回転を停止したタイミングで周期的に検出しているＩＤの個数に変化があったか否かを判定する（Ｓ３１７）。なお、ここでは、駆動部１５１の停止タイミングで周期的な検出パターンから連続的な検出パターンに変化したＩＤについても検出数の変化に計上する。Ｓ３１７で、周期的に検出しているＩＤの個数に変化がないと判定した場合（Ｓ３１７：ＮＯ）、記憶している全ての暫定ＩＤを検出除外リストへ登録する（Ｓ３１８）。そして、自プリンタ１には交換品２１が装着されていないと特定し（Ｓ３１９）、検出処理（３）を終了する。
【０１１３】
一方、Ｓ３１７で、駆動部１５１の回転を停止したタイミングで周期的に検出しているＩＤの個数に変化があったと判定した場合（Ｓ３１７：ＹＥＳ）、その検出数の変化が−１個であるか否かを判定する（Ｓ３２０）。ここで、検出数の変化が−１個ではないと判定した場合（Ｓ３２０：ＮＯ）、Ｓ３０１の処理へ戻りリトライ動作を行う。なお、このリトライ動作は、例えば３回まで行うこととし、３回目のリトライ後においても検出数の変化が−１個ではないと判定した場合（リトライオーバ）は、検出エラーとして検出処理（３）を終了する。
【０１１４】
一方、Ｓ３２０において、駆動部１５１の回転を停止したタイミングでの検出数の変化が−１個であると判定した場合（Ｓ３２０：ＹＥＳ）、暫定ＩＤの中から唯一周期的に検出されなくなったＩＤを自プリンタ１に装着された交換品２１のＩＤであると特定し（Ｓ３２１）、検出処理（３）を終了する。
【０１１５】
（３−４）検出処理（４）の説明
つぎに、図１０は、制御部１１が実行する検出処理の第４実施形態である検出処置（４）の手順を示すフローチャートである。この処理は、自プリンタ１に装着された交換品２１の識別を要する所定のタイミングにおいて実行される処理である。ここでいう所定のタイミングとしては、プリンタ１に電源が投入されたタイミングや、プリンタ１に装着されている交換品２１を交換する際に開閉されるカバーの開閉動作を検出したタイミング等が挙げられる。
【０１１６】
制御部１１は、まず、駆動部１５１が回転側の保持部材２２あるいは遮蔽部材２３を回転させる際の回転速度をランダムな値にセットする（Ｓ４０１）。なお、ここでセットするランダムな回転速度は、乱数を元に都度生成してもよいし、例えば製品個体ごとに固有のシリアルナンバー等から一意に生成される固有の値を用いてもよい。そして、駆動部１５１を稼動させるための電源オンの信号を出力して駆動部１５１の回転を開始し、駆動部１５１をＳ４０１でセットしたランダムな回転速度で回転させる（Ｓ４０２）。駆動部１５１が回転を開始することで、自プリンタ１に装着されている交換品２１の非接触型ＩＣタグ３１が露出状態と遮蔽状態とに交互に状態変化する。そして、駆動部１５１の回転中に非接触型ＩＣタグ３１のＩＤを連続的な検出パターンで検出したか否かを判定する（Ｓ４０３）。なお、ここでは後述の検出除外リストに登録されているＩＤと同じＩＤを検出した場合、その検出結果については無視する。すなわち、検出していないものと見なす。
【０１１７】
Ｓ４０３で非接触型ＩＣタグ３１のＩＤを連続的に検出した場合、自プリンタ１に装着された交換品２１の非接触型ＩＣタグ３１を検出したのではなく、自プリンタ１の近傍にある停止状態の交換品２１の非接触型ＩＣタグ３１を自プリンタ１で検出したと特定できる。よって、この場合（Ｓ４０３：ＹＥＳ）、連続的に検出したＩＤに該当する交換品２１は、自プリンタ１に装着されているものではないと特定し、そのＩＤを自プリンタ１で記憶している検出除外リストに登録する（Ｓ４０４）。その後、Ｓ４０５の処理へ移行する。この検出除外リストは、自プリンタ１に装着されていないと特定された交換品２１のＩＤの一覧であり、この検出除外リストに登録されたＩＤは、無線送受信部１６による検出結果から除外する対象となる。一方、Ｓ４０３で非接触型ＩＣタグ３１のＩＤを連続的な検出パターンで検出していないと判定した場合（Ｓ４０３：ＮＯ）、Ｓ４０５の処理へ移行する。
【０１１８】
Ｓ４０５では、駆動部１５１の回転中に非接触型ＩＣタグ３１のＩＤを周期的な検出パターンで検出したか否かを判定する。なお、ここでも上述の検出除外リストに登録されているＩＤと同じＩＤを検出した場合、その検出結果については無視する。Ｓ４０５で非接触型ＩＣタグ３１のＩＤを検出していないと判定した場合（Ｓ４０５：ＮＯ）、駆動部１５１の回転開始から所定のタイムアウト時間を経過したか否かを判定する（Ｓ４０６）。
【０１１９】
ここで、タイムアウト時間を経過していないと判定した場合（Ｓ４０６：ＮＯ）、Ｓ４０３の処理へ戻る。一方、Ｓ４０２で駆動部１５１の回転を開始してから、非接触型ＩＣタグ３１のＩＤを周期的なパターンで検出しない状態（Ｓ４０５：ＮＯ）のまま、Ｓ４０６でタイムアウト時間が経過したと判定した場合（Ｓ４０６：ＹＥＳ）、駆動部１５１の回転を停止する（Ｓ４０７）。そして、自プリンタ１には交換品２１が装着されていないと特定し（Ｓ４０８）、検出処理（４）を終了する。
【０１２０】
一方、Ｓ４０５で駆動部１５１の回転中に非接触型ＩＣタグ３１のＩＤを周期的な検出パターンで検出したと判定した場合（Ｓ４０５：ＹＥＳ）、Ｓ４０９へ移行する。駆動部１５１の回転中において非接触型ＩＣタグ３１のＩＤを周期的に検出したということは、すなわち、自プリンタ１に装着された交換品２１の非接触型ＩＣタグ３１を検出した可能性もあるし、自プリンタ１には交換品２１が装着されておらず、他のプリンタ１が自プリンタ１と同時に駆動部１５１を回転させながらＩＤの検出を行っていたものを、自プリンタ１側で検出した可能性もある。また、自プリンタ１に装着された交換品２１の非接触型ＩＣタグ３１を検出し、かつ、他のプリンタ１に装着された交換品２１の非接触型ＩＣタグ３１を自プリンタ１側で検出した可能性もある。よってこの場合、周期的検出したＩＤが自プリンタ１に装着された交換品２１ものであるか、他のプリンタ１に装着された交換品２１のものであるかを特定する必要がある。
【０１２１】
そこで、Ｓ４０９では、周期的に検出しているＩＤの検出周期が、駆動部１５１の回転速度（すなわち、Ｓ４０１でセットしたランダムな回転速度）に同調した検出周期であるか否かを判定する（Ｓ４０９）。すなわち、自プリンタ１の駆動部１５１が回転側の保持部材２２あるいは遮蔽部材２３を回転させる周期に同期した周期で非接触型ＩＣタグ３１のＩＤを検出しているか否かを判定する。
【０１２２】
ここで、駆動部１５１の回転速度に同調しない検出周期で非接触型ＩＣタグ３１のＩＤを検出していると判定した場合（Ｓ４０９：ＮＯ）、検出周期が同調しないＩＤを検出除外リストに登録する（Ｓ４１０）。これにより、他のプリンタ１に装着された交換品２１の非接触型ＩＣタグ３１は検出されなくなる。すなわち、非接触型ＩＣタグ３１のＩＤの検出周期が、自プリンタ１がランダムに設定した回転速度に同調しないのであれば、その検出されたＩＤは、他のプリンタ１が自プリンタ１とは異なる回転速度で駆動部１５１を回転させながらＩＤの検出を行っていたものを、自プリンタ１側で検出したものであると特定できる。なお、ランダムな回転速度を設定するのは、同じく駆動部１５１を回転させている他のプリンタ１との間で回転速度を意図的にずらすためである。
【０１２３】
一方、Ｓ４０９で、周期的に検出している全てのＩＤの検出周期が、駆動部１５１の回転速度に同調した検出周期であると判定した場合（Ｓ４０９：ＹＥＳ）、駆動部１５１の回転を停止し（Ｓ４１１）、検出周期が駆動部１５１の回転速度と同調したＩＤが１つのみであるか否かを判定する（Ｓ４１２）。ここで、検出周期が駆動部１５１の回転速度と同調したＩＤが複数あると判定した場合（Ｓ４１２：ＮＯ）、Ｓ４０１の処理へ戻りリトライ動作を行う。なお、このリトライ動作は、例えば３回まで行うこととし、３回目のリトライ後において検出周期が駆動部１５１の回転速度と同調したＩＤが複数あると判定した場合（リトライオーバ）は、検出エラーとして検出処理（４）を終了する。
【０１２４】
一方、Ｓ４１２において、検出周期が駆動部１５１の回転速度と同調したＩＤが１つのみであると判定した場合（Ｓ４１２：ＹＥＳ）、そのＩＤを自プリンタ１に装着された交換品２１のＩＤであると特定し（Ｓ４１３）、検出処理（４）を終了する。
【０１２５】
［４．制御部１１が実行する検出除外リスト消去処理の説明］
つぎに、上述の検出処理（１），（２），（３），（４）（図７〜１０参照）において登録された検出除外リストを消去する処理の手順について、図１１のフローチャートに基づき説明する。
【０１２６】
検出除外リストに登録されたＩＤに該当する非接触型ＩＣタグ３１は、無線送受信部１６による検出結果から除外される。このため、検出除外リストに登録されたＩＤに該当する交換品２１が新たにプリンタ１に装着された場合、検出除外リストの内容を消去しておかなければ、その交換品２１のＩＤを自プリンタ１で検出できない。
【０１２７】
そこで、制御部１１は、交換品２１の着脱が行われる可能性がある所定の条件を満たす場合に、検出除外リストの内容を消去する。具体的には、図１１（ａ）のフローチャートに示すように、プリンタ１の本体の電源がオフからオンにされたときに、検出除外リストの内容を消去する（Ｓ５０１）。このようにすることで、プリンタ１の電源がオフの間に交換品２１が新たに装着された場合に対応可能である。
【０１２８】
また、図１１（ｂ）のフローチャートに示すように、交換品２１の着脱を検知した場合に、検出除外リストの内容を消去する（Ｓ６０１）。
【０１２９】
以上、実施形態のプリンタ１について説明したが、ここで実施形態の印刷システムの構成と特許請求の範囲に記載の構成との対応について説明する。
【０１３０】
プリンタ１が特許請求の範囲における画像形成装置に相当し、無線送受信部１６が検出手段に相当し、記録部１５内の駆動部１５１が駆動手段に相当し、制御部１１が制御手段に相当する。
【０１３１】
［５．効果］
上記実施形態のプリンタ１によれば、次のような効果を奏する。
【０１３２】
（ａ）自プリンタ１に装着された交換品２１の非接触型ＩＣタグ３１に対して露出状態と遮蔽状態と交互に変化させ、その制御に同期して周期的に検出された非接触型ＩＣタグ３１を持つ交換品２１を自プリンタ１に装着されたものであると特定する。このようにすることで、自プリンタ１の周辺に置いてある交換品２１、あるいは自プリンタ１の周辺の他のプリンタ１に装着されている交換品２１と、自プリンタ１に装着されている交換品２１との識別を確実に行うことができる。このとき、駆動部１５１のモータのオン期間に非接触型ＩＣタグ３１を周期的に検出することで、自プリンタ１に装着されている交換品の識別を確実に行うことができる。また、交換品２１の保持部材２２に保持された非接触型ＩＣタグ３１とプリンタ１側の機構とが機械的又は電気的に接触する構成を要しないため、交換品２１をプリンタ１に装着した際に接触不良が起こるおそれがない。
【０１３３】
（ｂ）交換品２１の機能を担う各種ローラー等の回転機構を回転側の保持部材２２又は遮蔽部材２３に利用するので、それ専用の機構を別途設置する必要がなく、交換品２１の製造コストやサイズの面で有利である。さらに、プリンタ１側において、交換品２１のローラー等を駆動させるために元々備えている駆動部１５１をそのまま本発明の駆動手段として兼用することもできるので、非接触型ＩＣタグ３１の検出のための専用の駆動機構を設けるよりも製造コストやサイズの面で有利である。
【０１３４】
（ｃ）自プリンタ１において駆動部１５１を回転させていないにも関わらず、非接触型ＩＣタグ３１を周期的に検出した場合、自プリンタ１周辺で他の同種のプリンタ１が駆動部１５１を回転させて非接触型ＩＣタグ３１を交互に遮蔽／露出させているものを自プリンタ１で検出したことを意味する。したがって、このような状況で周期的に検出した非接触型ＩＣタグ３１を備える交換品は自プリンタ１に装着されていないものであると特定することで、他のプリンタ１に装着されている交換品２１と、自プリンタ１に装着されている交換品２１との識別を確実に行うことができる。
【０１３５】
（ｄ）駆動部１５１を回転させていない状態で周期的に検出した非接触型ＩＣタグ３１のＩＤを検出除外リストに登録し、その検出除外リストに登録されているＩＤに該当する非接触型ＩＣタグ３１については無線送受信部１６による検出結果から除外することで、他のプリンタ１に装着されている交換品２１と、自プリンタ１に装着されている交換品２１との識別が更に容易になる。
【０１３６】
（ｅ）駆動部１５１を回転させていない状態で非接触型ＩＣタグ３１を周期的に検出していない場合、駆動部１５１の回転を開始して非接触型ＩＣタグ３１を検出する。つまり、駆動部１５１を回転させていない状態で非接触型ＩＣタグ３１が周期的に検出されないという状況は、何れの交換品２１の非接触型ＩＣタグ３１も全く検出していない場合や、自プリンタ１に装着された交換品２１又は自プリンタ１の周辺に存在する交換品２１の少なくとも何れかの非接触型ＩＣタグを検出した場合の、何れかに該当することを意味する。このような状況から駆動部１５１の回転を開始して非接触型ＩＣタグ３１の検出を行うことで、自プリンタ１に装着されている交換品２１の識別を確実に行うことができる。
【０１３７】
（ｆ）駆動部１５１を回転させている最中に複数の非接触型ＩＣタグをそれぞれ周期的に検出した場合、自プリンタ１に装着された交換品２１の非接触型ＩＣタグ３１を検出するのと同時に、他の同種のプリンタ１が非接触型ＩＣタグ３１を交互に遮蔽／露出させているものを自プリンタ１で検出したことを意味する。そこで、このような状況では、一旦自プリンタ１の駆動部１５１の回転を停めてから検出を行い、そこで非接触型ＩＣタグ３１を周期的に検出したのであれば、その検出した非接触型ＩＣタグ３１に該当の交換品２１は他のプリンタ１に装着されているものと特定できる。
【０１３８】
（ｇ）駆動部１５１を回転させた状態で複数の非接触型ＩＣタグ３１をそれぞれ周期的に検出した場合、ランダムな検出時間を設定して、その検出時間分だけ駆動部１５１の回転を停止したまま検出を行うことで、自プリンタ１の動作タイミングと他のプリンタ１の動作タイミングとを意図的にずらすことができる。
【０１３９】
（ｈ）駆動部１５１を回転させた状態で複数の非接触型ＩＣタグ３１をそれぞれ周期的に検出した場合、ランダムな検出時間を設定して、検出時間分だけ駆動部１５１の回転を継続したまま検出を行うことで、自プリンタ１の動作タイミングと他のプリンタ１の動作タイミングとを意図的にずらすことができる。
【０１４０】
（ｇ）駆動部１５１を回転させた状態で非接触型ＩＣタグ３１を周期的に検出した場合、駆動部１５１の回転時間をランダムに設定することで、近接する他のプリンタ１との間で駆動部１５１の停止タイミングを意図的にずらすことができる。そして、駆動部１５１を停止したタイミングで周期的に検出されなくなった非接触型ＩＣタグ３１のＩＤを、自プリンタ１に装着された交換品２１が備えるものであると特定することで、複数のプリンタ１の間で、それぞれに装着された交換品２１を確実に識別できる。
【０１４１】
（ｈ）自プリンタ１がランダムに設定した駆動部１５１の回転速度に準じた固有の周期で非接触型ＩＣタグ３１のＩＤを検出する。このようにすることで、たとえ、複数の非接触型ＩＣタグ３１のＩＤを同時に検出した場合や、２台のプリンタ１のうち一方のみに交換品２１がセットされた状態で２台同時に駆動部１５１を作動させて検出を行った場合であっても、自プリンタ１に装着された交換品２１を確実に識別できる。
【０１４２】
（ｉ）制御部１１は、駆動部１５１の回転を停止させる際、非接触型ＩＣタグ３１を遮蔽状態にして停止するように制御する。このようにすることで、次の機会において駆動部１５１を回転させていない状態で自プリンタ１に装着された交換品２１の非接触型ＩＣタグ３１を検出する可能性が低くなる。したがって、自プリンタ１に装着されたものではない交換品２１の非接触型ＩＣタグ３１を容易に特定できるようになる。
【０１４３】
（ｊ）プリンタ１の電源がオンにされたとき、又は、交換品２１の着脱に係る所定の操作を検知したとき、検出除外リストの記憶内容を消去することで、今まで除外対象として記憶されていた交換品２１が新たにプリンタ１に装着された場合に、その交換品２１を自プリンタ１に装着されたものであると特定することができるようになる。
【０１４４】
［６．変形例］
以上、本発明の実施形態について説明したが、本発明は上記の実施形態に何ら限定されるものではなく様々な態様にて実施することが可能である。
【０１４５】
上記実施形態においては、交換品の保持部又は遮蔽部の何れかが回転することで、露出状態と遮蔽状態とが周期的に変化する構成であった。しかしながら、交換品が備える非接触型ＩＣタグが露出状態と遮蔽状態とを交互に繰り返す構成であれば、回転運動に限らず種々の動作を適用できる。
【０１４６】
例えば、非接触型ＩＣタグを覆うシャッタ状の遮蔽部材が往復移動あるいは開閉することによって、露出状態と遮蔽状態とを交互に繰り返す構成であってもよい。逆に、非接触型ＩＣタグを保持する保持部材の方が遮蔽部材に対して往復移動することによって、露出状態と遮蔽状態とを交互に繰り返す構成であってもよい。
【０１４７】
さらに、非接触型ＩＣタグの検出パターンは周期的なものに限らず、検出状態（露出状態）と非検出状態（遮蔽状態）が断続的に繰り返すものであればランダムなパターンも適用できる。
【０１４８】
また、上記実施形態においては、交換品の機能を担うローラー等の回転機構を利用して、交換品の保持部又は遮蔽部の何れかが回転する構成であった。しかしながら、交換品にローラー等の利用可能な機構が元々存在しない場合、非接触型ＩＣタグの検出専用の機構を別途備えるように構成してもよい。その場合、プリンタ１側においても、非接触型ＩＣタグの検出専用の駆動部を別途備えるようにすればよい。
【０１４９】
また、交換品の装着の有無を検知するセンサを備えるプリンタに対して上記実施形態の検出処理（１）〜（４）の処理を適用してもよい。その場合、交換品の装着の有無を検知するセンサによる検知結果と、上記検出処理（１）〜（４）の処理とを併用することで、自プリンタに装着されている交換品をより確実に検出できる。
【０１５０】
また、上記実施形態の検出処理（３），（４）において、駆動部１５１の回転を開始して非接触型ＩＣタグ３１のＩＤの検出を行う事前に、駆動部を停止した状態で検出を行い、そこで周期的に検出したＩＤを検出除外リストに登録するようにしてもよい。具体的には、検出処理（３）のＳ３０１（図９参照）、あるいは検出処理（４）のＳ４０１（図１０参照）の前に、検出処理（１）のＳ１０１〜Ｓ１０４（図７参照）に相当する処理を行うように構成すればよい。このようにすれば、自プリンタ１で駆動部１５１の回転を回転して非接触型ＩＣタグ３１を検出している最中に、他のプリンタ１に装着された交換品２１の非接触型ＩＣタグ３１のＩＤを周期的に検出してしまう可能性を低減できる。
【符号の説明】
【０１５１】
１…プリンタ、１１…制御部、１２…不揮発性メモリ、１３…操作部、１４…表示パネル、１５…記録部、１５１…駆動部、１６…無線送受信部、１７…通信インタフェース、２１…交換品、２２…保持部、２３…遮蔽部、３１…非接触型ＩＣタグ。
【図１】
2010170049.tif 000003
【図２】
2010170049.tif 000004
【図３】
2010170049.tif 000005
【図４】
2010170049.tif 000006
【図５】
2010170049.tif 000007
【図６】
2010170049.tif 000008
【図７】
2010170049.tif 000009
【図８】
2010170049.tif 000010
【図９】
2010170049.tif 000011
【図１０】
2010170049.tif 000012
【図１１】
2010170049.tif 000013